(57)【要約】【課題】固定挟持顎及び可動挟持顎が有する２つの角部及び３つの面部の作用範囲により、操作が安定し、抜脱することを防ぐ開口スパナを提供する。【解決手段】開口スパナは固定挟持顎１０、可動挟持顎２０及びハンドル３０を備える。固定挟持顎１０には円孔１１が斜めに形成される。可動挟持顎２０の底側には円柱管２１が斜めに延設される。円柱管２１は円孔１１に摺動可能に挿設される。円柱管２１には長槽孔２１１が径方向に形成される。固定挟持顎１０には、円孔１１に連通するピン孔１２が円孔１１の径方向で形成され、ピン孔１２に円柱管２１の長槽孔２１１が位置合わせされ、ピン４０が円柱管２１に挿通されて円孔１１まで挿通されてピン孔１２及び長槽孔２１１で固定され、可動挟持顎２０が揺動せずに摺動可能となる。固定挟持顎１０及び可動挟持顎２０の頂端には弧状フック部１３，２２がそれぞれ設けられる。【選択図】図２
0003213136.tif 000002
【実用新案登録請求の範囲】
【請求項１】
固定挟持顎、可動挟持顎及びハンドルを備えた開口スパナであって、
前記固定挟持顎は、斜めに形成された円孔を有し、
前記可動挟持顎は、その底側に斜めに延設された円柱管を有し、
前記円柱管は、径方向に伸びる長槽孔を有するとともに、前記円孔に摺動可能に挿設し、
前記固定挟持顎は、前記円孔に連通するピン孔を有し、
前記ピン孔は、前記長槽孔と位置合わせされており、
前記ピン孔には、ピンが前記長槽孔内にまで進入する形態で挿通し、前記可動挟持顎を揺動することなく摺動可能とし、
前記円柱管は、底端にねじを螺入可能なねじ孔を有し、
前記ピンと、前記ねじとの間には、ばねが介在し、
前記固定挟持顎及び前記可動挟持顎の頂端には、弧状フック部をそれぞれ有し、
前記固定挟持顎及び前記可動挟持顎は、２つの作用角及び３つの作用面をそれぞれ有することを特徴とする開口スパナ。
【請求項２】
前記固定挟持顎の底端には、前記ハンドルが一体成形されることを特徴とする請求項１に記載の開口スパナ。
【請求項３】
前記固定挟持顎の底端には、第１のピン軸孔を有し、
前記ハンドルの頂端には、第２のピン軸孔を有し、
前記第１のピン軸孔と前記第２のピン軸孔とが位置合わせされ、前記第１のピン軸孔及び前記第２のピン軸孔にピン軸が挿設されることを特徴とする請求項１に記載の開口スパナ。
【考案の詳細な説明】
【技術分野】
【０００１】
本考案は、スパナに関し、特に、可動挟持顎と固定挟持顎とが円柱管及び円孔により摺動可能であり、円柱管にピンが挿通され、ねじ及びばねを容易に取付けることができる開口スパナに関する。
【背景技術】
【０００２】
特許文献１では、固定ブロックにばねを用いて当接させ、そのねじをスパナの頭部、ばねに挿通して固定ブロックを螺着し、スパナの頭部に形成した溝に、固定ブロックが摺動可能に設けられるとともに、Ｕ字状フレームの溝には作用が無い開口部分が形成されているが、Ｕ字状フレームが設置されているため部品数が非常に多くて構造が複雑であり、その加工後の電解めっきでも多くの部品間の組立公差のため、コントロールすることが困難であり、固定ブロックの作用面とスパナ頭部の作用面との間に、ねじの始端部又はナットの半分の範囲が取り囲まれているため、抜脱してしまってねじの始端部又はナットの角部を破損してしまうことがあったため、従来の特許文献１には改善の余地があった。
【０００３】
特許文献２では、その部品数は多くないが、そのスライド溝及び枢着耳が精密加工に属するため、加工後に電解めっきを行い、その多数の部品間の組立公差をコントロールすることは困難であるため、上述した２種類の問題、即ち、組立が困難であったり隙間の公差が大きすぎたりする問題が発生し易く、その最大の問題点は、弾性部材を長穿孔に挿設し、可動挟持顎の２つの枢着耳をスライド溝へ挿入して弾性部材を覆って弾性部材を制限することはできるが、枢着軸を組立てることは困難である上、孔が小さすぎるため工具により弾性部材を操作することは困難であり、可動挟持顎の作用面と、固定挟持顎の作用面との間に、ねじの始端部又はナットの半分の範囲が取り囲まれているため、抜脱してしまってねじの始端部又はナットの角部を破損してしまうことがあったため、従来の特許文献２には改善の余地があった。
【先行技術文献】
【特許文献】
【０００４】
【特許文献１】米国特許第６２０２５１６号明細書
【特許文献２】台湾特許出願番号第０９６１３０１１３号
【考案の概要】
【考案が解決しようとする課題】
【０００５】
本考案の主な目的は、可動挟持顎と固定挟持顎との間に円柱管及び円孔を設けて摺動可能に組立て、円柱管にピンを組立て、ピンを固定挟持顎に固定してから円柱管の底端に形成したねじ孔にばね及びねじを設置し、固定挟持顎及び可動挟持顎が有する２つの角部及び３つの面部の作用範囲により、操作が安定し、抜脱することを防ぐ開口スパナを提供することにある。
【課題を解決するための手段】
【０００６】
上記課題を解決するために、本考案の第１の形態によれば、固定挟持顎、可動挟持顎及びハンドルを備えた開口スパナであって、前記固定挟持顎には、円孔が斜めに形成され、前記可動挟持顎の底側には、円柱管が斜めに延設され、前記円柱管は、前記円孔に摺動可能に挿設され、前記円柱管には、長槽孔が径方向に形成され、前記固定挟持顎には、前記円孔に連通するピン孔が前記円孔の径方向で形成され、前記ピン孔に前記円柱管の前記長槽孔が位置合わせされ、ピンが前記円柱管に挿通されて前記円孔まで挿通されて前記ピン孔及び前記長槽孔で固定され、前記可動挟持顎が揺動せずに摺動可能となり、前記円柱管は、底端に向かって形成されたねじ孔を有し、前記ピンを固定すると、ばねの挿入が容易となり、前記ねじ孔へねじを螺入すると、前記ばねが位置決めされ、前記固定挟持顎及び前記可動挟持顎の頂端には、弧状フック部がそれぞれ設けられ、前記固定挟持顎及び前記可動挟持顎は、２つの作用角及び３つの作用面の作用範囲をそれぞれ有することを特徴とする開口スパナが提供される。
【考案の効果】
【０００７】
本考案の開口スパナは、可動挟持顎と固定挟持顎との間に円柱管及び円孔を設けて摺動可能に組立て、円柱管にピンを組立て、ピンを固定挟持顎に固定してから円柱管の底端に形成したねじ孔にばね及びねじを設置し、固定挟持顎及び可動挟持顎が有する２つの角部及び３つの面部の作用範囲により、操作が安定し、抜脱することを防ぐことができる。
【図面の簡単な説明】
【０００８】
【図１】図１は、本考案の一実施形態に係る開口スパナを示す斜視図である。
【図２】図２は、本考案の一実施形態に係る開口スパナを示す分解斜視図である。
【図３】図３は、本考案の一実施形態に係る開口スパナを示す断面図である。
【図４】図４は、本考案の一実施形態に係る開口スパナが掴む状態を示す動作図である。
【図５】図５は、本考案の一実施形態に係る開口スパナがナットを調整する状態を示す斜視図である。
【考案を実施するための形態】
【０００９】
以下、本考案の実施形態について図に基づいて説明する。なお、これによって本考案が限定されるものではない。
【００１０】
図１〜図５を参照する。図１〜図５に示すように、本考案の一実施形態に係る開口スパナは、固定挟持顎１０、可動挟持顎２０及びハンドル３０から構成されてなる。
【００１１】
前述した固定挟持顎１０は、円孔１１が斜めに形成されている。前述した可動挟持顎２０の底側には、円柱管２１が斜めに形成されている。前述した円柱管２１は、前述した円孔１１に摺動可能に挿設されている。前述した円柱管２１には、長槽孔２１１が径方向に形成されている。前述した固定挟持顎１０は、前述した円孔１１の径方向に位置合わせされ、前述した円孔１１のピン孔１２に挿設される。前述したピン孔１２は、前述した円柱管２１の前述した長槽孔２１１に位置合わせされる。前述した円柱管２１が前述した円孔１１に組入れられたときにピン４０を前述したピン孔１２及び前述した長槽孔２１１に挿通して固定すると、前述した可動挟持顎２０が揺動せずに摺動可能となり、前述した円柱管２１は、底端に向かって形成されたねじ孔２１２を有し、前述したピン４０を固定すると、ばね５０の挿入が容易となり、前述したねじ孔２１２へねじ６０を螺入すると、前述したばね５０が位置決めされる。前述した固定挟持顎１０及び前述した可動挟持顎２０の頂端には、弧状フック部１３，２２がそれぞれ設けられ、前述した固定挟持顎１０及び前述した可動挟持顎２０は、２つの作用角Ａ及び３つの作用面Ｂの作用範囲を有するため、抜脱することを防ぐことができる。
【００１２】
上述した開口スパナの前述した固定挟持顎１０底端には、ハンドル３０が一体成形される。
【００１３】
図２を参照する。図２に示すように、上述した開口スパナの前述の固定挟持顎１０の底端には、第１のピン軸孔１４が形成される。前述したハンドル３０の頂端には、第２のピン軸孔３１が形成される。前述した第１のピン軸孔１４と第２のピン軸孔３１とが位置合わせされ、前述した第１のピン軸孔１４及び第２のピン軸孔３１にピン軸７０が挿設される。ピン軸７０の枢着により、全体の固定挟持顎１０は、可動挟持顎２０とともにピン軸７０を軸として上下に揺動するため、複雑な環境下でも開口スパナを自在に操作することができる。
【００１４】
図１〜図５を参照する。図１〜図５に示すように、本考案の一実施形態に係る開口スパナは、可動挟持顎２０に設けられた円柱管２１が円形であるため容易に製作でき、固定挟持顎１０に形成される円孔１１も円形であるため製作が容易であり、両者は摺動可能に設置し易く、ピン４０を固定挟持顎１０のピン孔１２に挿着して可動挟持顎２０の長槽孔２１１に挿通すると、可動挟持顎２０が揺動せず摺動可能な状態となる。円柱管２１の底端には、ねじ孔２１２が形成され、円孔１１はねじ孔２１２に連通されるため、ばね５０とねじ６０とを組み合わせることが非常に容易であり、２つの挟持顎１０，２０の頂端に弧状フック部１３，２２がそれぞれ設けられ、２つの挟持顎１０，２０が２つの作用角Ａ及び３つの作用面Ｂをそれぞれ有するため、ねじ頭部又はナット８０が抜脱することを防ぐことができる。
【００１５】
上述したことから分かるように、本考案の開口スパナは、可動挟持顎と固定挟持顎との間に円柱管及び円孔を設けて摺動可能に組立て、円柱管にピンを組立て、ピンを固定挟持顎に固定してから円柱管の底端に形成したねじ孔にばね及びねじを設置し、固定挟持顎及び可動挟持顎が有する２つの角部及び３つの面部の作用範囲により、操作が安定し、抜脱することを防ぐことができる。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１０  固定挟持顎
１１  円孔
１２  ピン孔
１３  弧状フック部
１４  第１のピン軸孔
２０  可動挟持顎
２１  円柱管
２２  弧状フック部
３０  ハンドル
３１  第２のピン軸孔
４０  ピン
５０  ばね
６０  ねじ
７０  ピン軸
８０  ナット
２１１  長槽孔
２１２  ねじ孔
Ａ  作用角
Ｂ  作用面
【図１】
0003213136.tif 000003
【図２】
0003213136.tif 000004
【図３】
0003213136.tif 000005
【図４】
0003213136.tif 000006
【図５】
0003213136.tif 000007